(57)【要約】【課題】シートを継ぎながら一対の歯溝ロール間でシートを延伸加工するときに生じることのあるトラブルを抑制すること。【解決手段】伸長性シートの製造方法は、基材シート１０一対の歯溝ロール２，３間でその搬送方向Ｙに延伸加工する延伸工程と、延伸加工された基材シート１０にその搬送方向Ｙに張力を加えながら一対の歯溝ロール２，３から引き出す引き出し工程とを具備する。延伸工程に先立ち、基材シート１０Ａを別の基材シート１０Ｂに接合させるシート継ぎ工程を更に有する。シート継ぎ工程においては、搬送方向Ｙに沿って伸長性を有する粘着材料６０を基材シート１０Ａと別の基材シート１０Ｂとの間に施して両シート１０Ａ，１０Ｂを接合させる。【選択図】図３
2018100457.tif 000002
【特許請求の範囲】
【請求項１】
基材シートをインフィードロールから互いに噛み合う一対の歯溝ロールの噛み合い部分に供給して、一対の該歯溝ロール間で該基材シートをその搬送方向に延伸加工する延伸工程と、
一対の前記歯溝ロールで延伸加工された前記基材シートをアウトフィードロールに供給して、該アウトフィードロールで該基材シートにその搬送方向に張力を加えながら一対の該歯溝ロールから引き出す引き出し工程とを具備する伸長性シートの製造方法であって、
前記延伸工程に先立ち、前記基材シートを別の基材シートに接合させるシート継ぎ工程を更に有し、
前記シート継ぎ工程においては、前記搬送方向に沿って伸長性を有する粘着材料を前記基材シートと前記別の基材シートとの間に施して両シートを接合させる、伸長性シートの製造方法。
【請求項２】
前記粘着材料が両面テープからなり、
前記両面テープは、その使用前の状態では、その各面が剥離紙によって保護されており、
前記シート継ぎ工程において前記両面テープから前記剥離紙を除去し、該両面テープを前記基材シート又は前記別の基材シートに貼り付ける、請求項１記載の伸長性シートの製造方法。
【請求項３】
前記両面テープが、２枚の剥離紙間に粘着剤をシート状に塗工した構造を有するものである、請求項２記載の伸長性シートの製造方法。
【請求項４】
前記両面テープがその長手方向に延びるように形成された一条又は複数条のスリットを有し、
前記スリットが前記基材シートの搬送方向に対して直交するように、且つ該搬送方向に沿って間隔を置いて、複数の前記両面テープを配置する、請求項２又は３に記載の伸長性シートの製造方法。
【請求項５】
前記基材シートと前記別の基材シートとの接合部における前記延伸工程後の伸びが、該延伸工程前に対して１．１倍以上５．０倍以下となるような前記粘着材料を用いる請求項１ないし４のいずれか一項に記載の伸長性シートの製造方法。
【発明の詳細な説明】
【技術分野】
【０００１】
本発明は伸長性シートの製造方法に関する。本発明の方法で製造された伸長性シートは、伸長性が要求される各種物品の構成部材として好適に用いられる。
【背景技術】
【０００２】
互いに噛み合う歯溝が回転軸方向に沿うように周面部に設けられた一対のロールを備えた加工手段を使用し、該ロールを回転させてそれらの噛み合い部分に不織布等のシートを供給して、該シートに加工を施す技術が種々提案されている。例えば、特許文献１には、外周面に形成された複数の歯を互いに噛み合わせながら回転する一対のロールの間隙に、予め、上流側の延伸ステップにて延伸された不織布を通すことにより、該不織布を更に長手方向に延伸する技術が提案されている。
【０００３】
また、上述したシートに加工を施す技術として、本出願人は、先に、基材シートを一対の駆動ロールから互いに噛み合う一対の歯溝ロールの噛み合い部分に供給して、一対の歯溝ロール間で基材シートを延伸加工する柔軟性シートの製造方法において、駆動ロールの周速と歯溝ロールの周速との関係を調整することにより、基材シートを延伸する技術を提案している（特許文献２参照）。
【０００４】
ところで上述した従来の技術においては、延伸加工の対象となるシートは一般にロール状に巻回された状態の巻回体から加工ラインへ繰り出されて連続的に延伸加工に付される。したがって加工ラインを停止させないようにするためには、巻回体からのシートの繰り出しがすべて完了する前に、他の巻回体から繰り出された別のシートと接合する操作、すなわちいわゆるシート継ぎ操作が必要となる。
【０００５】
延伸加工に付されるシートのシート継ぎに関する従来の技術としては、例えば特許文献３に記載のものが知られている。同文献においては、シート継ぎされる２枚のシートに形成される接合部を、シートの搬送方向と直交する方向に間欠的に設けている。
【先行技術文献】
【特許文献】
【０００６】
【特許文献１】特開２００８−１５６７８５号公報
【特許文献２】特開２０１１−８０１７２号公報
【特許文献３】特開２０１２−２０７３３６号公報
【発明の概要】
【発明が解決しようとする課題】
【０００７】
特許文献３に記載の技術では、シートが延伸方向に沿って引っ張られたときに、延伸方向と直交する方向において分断されないようにしている。しかし、シート継ぎ部は２枚のシートが重ね合わされている部分であることから、他の部分よりも延伸されづらく、シートの延伸部の強度が低い場合にはシート継ぎ部と延伸部との境界で破断が生じるなどのトラブルが起こることがしばしばある。
【０００８】
したがって本発明の課題は、シートの延伸方法の改良にあり、更に詳しくはシートを継ぎながら一対の歯溝ロール間でシートを延伸加工するときに生じることのあるトラブルを抑制することにある。
【課題を解決するための手段】
【０００９】
本発明は、基材シートをインフィードロールから互いに噛み合う一対の歯溝ロールの噛み合い部分に供給して、一対の該歯溝ロール間で該基材シートをその搬送方向に延伸加工する延伸工程と、
一対の前記歯溝ロールで延伸加工された前記基材シートをアウトフィードロールに供給して、該アウトフィードロールで該基材シートにその搬送方向に張力を加えながら一対の該歯溝ロールから引き出す引き出し工程とを具備する伸長性シートの製造方法であって、
前記延伸工程に先立ち、前記基材シートを別の基材シートに接合させるシート継ぎ工程を更に有し、
前記シート継ぎ工程においては、前記搬送方向に沿って伸長性を有する粘着材料を前記基材シートと前記別の基材シートとの間に施して両シートを接合させる、伸長性シートの製造方法を提供するものである。
【発明の効果】
【００１０】
本発明によれば、一対の歯溝ロール間でシートを延伸加工するのに先立ちシートのシート継ぎを行っても、シートの延伸時にトラブルが生じにくくなる。
【図面の簡単な説明】
【００１１】
【図１】図１は、本発明の伸長性シートの製造方法に好適に用いられる延伸装置の一実施形態を示す模式図である。
【図２】図２は、本発明の伸長性シートの製造方法に好適に用いられるシート継ぎ装置の一実施形態を示す模式図である。
【図３】図３（ａ）及び（ｂ）はそれぞれ、２枚の基材シートを継ぐ状態を示す模式図である。
【図４】図４（ａ）ないし（ｄ）はそれぞれ、基材シートに配置する粘着材料のパターンを示す平面図である。
【発明を実施するための形態】
【００１２】
以下本発明を、その好ましい実施形態に基づき図面を参照しながら説明する。図１は、本発明の伸長性シートの製造方法に好適に用いられる装置の一実施形態を模式的に示したものである。以下の説明では、基材シート１０を搬送する方向をＹ方向、搬送する方向と直交する方向及び搬送される基材シート１０の幅方向をＸ方向として説明する。後述する歯溝ロール２，３の回動方向Ｒと基材シート１０の搬送方向（Ｙ方向）とは一致している。
【００１３】
図１に示すように、本実施形態の製造装置１は、互いに噛み合う歯溝が回転軸方向（Ｘ方向）に沿うように周面部に設けられた一対の歯溝ロール２，３を備えており、歯溝ロール２，３が回転されているときにそれらの噛み合い部分に供給された基材シート１０にその搬送方向（Ｙ方向）に延伸加工を施して、搬送方向に沿う伸長性を付与する装置である。本実施形態の製造装置１では、歯溝ロール２，３は同じ形態のロールで構成されている。歯溝ロール２，３に互いに噛み合う歯溝が回転軸方向（Ｘ方向）に沿うように周面部に設けられているとは、図１に示すように、歯溝ロール２，３の回転軸と、歯２０，３０が歯溝ロール２，３上に延びる方向とが、それぞれ平行になるように周面部に設けられ、歯２０と歯２０、又は歯３０と歯３０の間が溝になっていて、噛み合い部分では、互いの歯溝ロールの歯が互いの溝に噛み合うように設けられていることである。
【００１４】
一対の歯溝ロール２，３は、いずれか一方の歯溝ロールが駆動ロールであり且つ他方の歯溝ロールが連れ回りロールとなっている。本実施形態の製造装置１では、歯溝ロール２が駆動ロールであり且つ歯溝ロール３が連れ回りロールとなっている。いずれの歯溝ロール２，３も、図１中、矢印Ｒで示す方向に回動するようになっている。
【００１５】
製造装置１は、図１に示すように、歯溝ロール２，３の上流側に、基材シート１０の原反（基材シートロール）を取り付けた基材シート１０を繰り出す繰り出しロール４１と、繰り出しロール４１と歯溝ロール２，３との間に配された一対のインフィードロール４２，４３とを備えている。インフィードロール４２，４３は、一対の歯溝ロール２，３の間に基材シート１０を供給する役割を担うロールである。本実施形態の製造装置１では、インフィードロール４２，４３の周速度Ｖ１を、互いに噛み合った状態での歯溝ロール２，３の周速度Ｖ２に対して所定速度に設定し、基材シート１０に所望の張力を付与する。なお、インフィードロール４２，４３の周速度Ｖ１を繰り出しロール４１から繰り出される基材シート１０の繰り出し速度Ｖ４に対して所定速度に設定し、基材シート１０に所望の張力を付与することもできる。
【００１６】
本実施形態の製造装置１は、図１に示すように、歯溝ロール２，３の下流側に、歯溝ロール２，３間で延伸加工された基材シート１０ａを歯溝ロール２，３から引き出して次工程に搬送する一対のアウトフィードロール４４，４５を備えている。製造装置１ではアウトフィードロール４４，４５の周速度Ｖ３を歯溝ロール２，３の周速度Ｖ２に対して所定速度に設定し、延伸加工した基材シート１０ａを歯溝ロール２，３から引き出すとともに、基材シート１０ａに所望の張力を付与した伸長性シート１１を製造する。
【００１７】
インフィードロール４２，４３の周速度Ｖ１とは、各ロール４２，４３表面での速度のことである。繰り出しロール４１から繰り出される基材シート１０の繰り出し速度Ｖ４とは、繰り出された基材シート１０表面での速度のことである。アウトフィードロール４４，４５の周速度Ｖ３とは、インフィードロール４２，４３の周速度Ｖ１と同様に、各ロール４４，４５表面での速度のことである。歯溝ロール２、３の周速度Ｖ２とは、歯２０，３０の先端での速度のことである。
【００１８】
図１に示す製造装置１を用いた伸長性シートの製造方法は、図１に示すように、基材シート１０を一対のインフィードロール４２，４３から互いに噛み合う一対の歯溝ロール２，３の噛み合い部分に供給して、一対の歯溝ロール２，３間で基材シート１０をその搬送方向（Ｙ方向）に延伸加工する延伸工程を具備している。更に、本実施形態の伸長性シートの製造方法は、一対の歯溝ロール２，３で延伸加工された基材シート１０ａを一対のアウトフィードロール４４，４５に供給して、一対のアウトフィードロール４４，４５で基材シート１０ａにその搬送方向（Ｙ方向）に張力を加えながら一対の歯溝ロール２，３から引き出す引き出し工程を具備している。本実施形態では、アウトフィードロール４４，４５の周速度Ｖ３と、インフィードロール４２，４３の周速度Ｖ１との関係を、Ｖ３＞Ｖ１に設定している。
【００１９】
延伸工程の前工程では、ロール状の基材シート１０の原反を取り付けた繰り出しロール４１から基材シート１０を繰り出し、繰り出された基材シート１０がインフィードロール４２，４３に供給される。本実施形態においては、基材シート１０の供給時のインフィードロール４２，４３の周速度Ｖ１と基材シート１０の繰り出し速度Ｖ４とは等速（Ｖ１＝Ｖ４）である。延伸工程では、基材シート１０を、一対のインフィードロール４２，４３から、Ｒ方向に回動する一対の歯溝ロール２，３の噛み合い部分に供給し、基材シート１０をその搬送方向（Ｙ方向）に沿って延伸加工する。
【００２０】
上述したように、本製造方法では、アウトフィードロール４４，４５の周速度Ｖ３が、インフィードロール４２，４３の周速度Ｖ１よりも高速に（Ｖ３＞Ｖ１）設定されている。このように設定することで、延伸加工された基材シート１０ａに弛みを生じさせずに後工程へ搬送することができる。アウトフィードロール４４，４５の周速度Ｖ３に対するインフィードロール４２，４３の周速度Ｖ１の比率〔（Ｖ１／Ｖ３）×１００〕は、３０％以上８０％以下であることが好ましく、４０％以上６０％以下であることが更に好ましい。加えられる張力は、延伸加工後の基材シート１０ａの破断荷重の５％以上５０％以下であることが好ましく、５％以上２０％以下であることが更に好ましい。
【００２１】
加工を施す基材シート１０としては、その種類に特に制限はなく、例えば、紙、単層不織布、樹脂フィルム、２種以上の不織布の積層体、樹脂フィルムと不織布との積層体等が挙げられる。具体的には、基材シート１０として、ポリプロピレン繊維、ポリプロピレンとポリエチレンの組成物からなる繊維、及びポリプロピレンとポリエチレンのバイコンポーネント繊維から選ばれるポリオレフィン繊維の熱可塑性重合体不織布が挙げられる。また、製造装置１による延伸加工によって、基材シート１０に伸長性を付与するとともに柔軟性を付与する観点から、弾性繊維を含む不織布が好ましい。弾性繊維を含む不織布としては、弾性繊維を含む弾性繊維層の少なくとも一面に、実質的に非弾性の繊維から構成された非弾性繊維層が配され、両繊維層は、弾性繊維層の構成繊維が繊維形態を保った状態で、熱融着によって接合された伸縮性不織布（以下、伸縮性複合不織布という。）や、互いに交差せずに一方向に延びるように配列した多数の弾性フィラメントが、実質的に非伸長状態で、それらの全長にわたり、伸長可能な不織布に接合されている伸縮性不織布が挙げられる。基材シート１０が弾性を有する場合、延伸加工後の該シート１０は延伸方向に沿う伸縮性を発現する。
【００２２】
前記弾性繊維は、スチレン系エラストマー、ポリオレフィン系エラストマー、ポリエステル系エラストマー又はポリウレタン系エラストマー等の熱可塑性エラストマー、ゴム等の弾性樹脂を原料とする繊維が用いられる。また、非弾性繊維は、ポリエチレン（ＰＥ）、ポリプロピレン（ＰＰ）、ポリエステル（ＰＥＴやＰＢＴ）、ポリアミド等からなる繊維が用いられる。
【００２３】
伸縮性複合不織布としては、各種公知のものを用いることができ、例えば、特開２００８−１７９１２８号公報に記載の伸縮シート、特開２００７−２２０６６号公報に記載の伸縮性シート、特開２００７−２２０６６号公報に記載の伸縮性不織布の製造方法により製造される伸縮性不織布、特開平１０−０２９２５９号公報に記載の積層シート等を用いることもできる。
【００２４】
以上の工程においては、伸長性シートを連続的に製造していることから、製造ラインを停止させないようにするために、繰り出しロール４１から繰り出される基材シート１０を、その繰り出しがすべて完了する前に、他の繰り出しロール（図示せず）から繰り出された別の基材シートと接合する操作、すなわちシート継ぎ操作が必要となる。シート継ぎ操作は、図１に示す延伸工程に先立ち行われる。具体的には、図１に示す繰り出しロール４１とインフィードロール４２，４３との間でシート継ぎ操作が行われる。
【００２５】
図２には、シート継ぎ操作に好適に用いられる装置が示されている。シート継ぎ装置５０は、図２に示すように、第１の基材シート１０Ａに、別の基材シートである第２の基材シート１０Ｂの始端部１０１Ｂを継ぎ合わせる継ぎ部５１を有している。継ぎ部５１には、定常ロール５２及び押圧部５３が配設されている。定常ロール５２と押圧部５３とは対向配置されている。
【００２６】
定常ロール５２は、定常回転するロールで、継ぎ部５１に導入された第１の基材シート１０Ａに搬送力を付与できるようになっている。押圧部５３は、継ぎ部５１に導入された第２の基材シート１０Ｂの始端部１０１Ｂを、定常ロール５２に当接するまで、定常ロール５２に向けて移動できるようになっている。
【００２７】
継ぎ部５１の下方には、フリーロール５４が配設されている。フリーロール５４は、継ぎ部５１から導出された第１の基材シート１０Ａ又は第２の基材シート１０Ｂを次工程である延伸工程に向けて転回するロールである。
【００２８】
第１の基材シート１０Ａは、第１の繰り出しロール４１Ａから繰り出され、ガイドロール５５Ａ，５６Ａに案内されて継ぎ部５１に導入される。図２に示す状態においては、第１の基材シート１０Ａは連続的に搬送されている。一方、第２の基材シート１０Ｂは、第２の繰り出しロール４１Ｂから繰り出され、ガイドロール５５Ｂ，５６Ｂに案内されて、その始端部１０１Ｂが継ぎ部５１における定常ロール５２と押圧部５３との間に位置するように配置されている。この操作は、例えば人手操作によって行われる。図２に示す状態においては、第２の基材シート１０Ｂは静止している。ガイドロール５５Ａ，５６Ａの間、及びガイドロール５５Ｂ，５６Ｂの間には、必要に応じてアキュムレータ機構を設置してもよい。
【００２９】
第２の基材シート１０Ｂは、その始端部１０１Ｂにおける定常ロール５２との対向面に粘着材料６０が配置されている。粘着材料６０は、第１の基材シート１０Ａの終端部（図示せず）と、第２の基材シート１０Ｂの始端部１０１Ｂとを接合するために用いられる。始端部１０１Ｂに粘着材料６０を配置する操作は、機械的に行ってもよく、あるいは人手操作により行ってもよい。
【００３０】
継ぎ部５１においては、第１の基材シート１０Ａの終端部（図示せず）が継ぎ部５１に近接すると、押圧部５３が定常ロール５２に向けて移動し、定常ロール５２によって搬送されている第１の基材シート１０Ａは、図３（ａ）に示すとおり、その終端部１０１Ａ付近に第２の基材シート１０Ｂの始端部１０１Ｂが粘着材料６０を介して継ぎ合わされる。第１の基材シート１０Ａの終端部は、例えばセンサによって検知されるか、又は作業員の目視によって検知される。
【００３１】
このようにして第１の基材シート１０Ａの終端部付近に第２の基材シート１０Ｂの始端部１０１Ｂが継ぎ合わされると、その後は、第２の基材シート１０Ｂが次工程である延伸工程に搬送される。その間に、第１の基材シート１０Ａの始端部（図示せず）が、定常ロール５２と押圧部５３との間に配置されるとともに、該始端部における定常ロール５２との対向面に粘着材料６０が施される。そして第２の基材シート１０Ｂが残り少なくなった場合には、第１の基材シート１０Ａの始端部に第２の基材シート１０Ｂの終端部を継ぎ合わせることができる。このように、第１の基材シート１０Ａと第２の基材シート１０Ｂとが交互に継ぎ合わされる。
【００３２】
以上の方法で第１の基材シート１０Ａと第２の基材シート１０Ｂとが接合されると、図３（ｂ）に示すとおり、それらの接合部６１は２枚の基材シート１０Ａ，１０Ｂが重ね合わされていることから、延伸工程において他の部分よりも延伸されづらく、シートの強度が低い場合には破断が生じるなどのトラブルが起こることがしばしばある。そこで本実施形態では、継ぎ合わされる２枚の基材シート１０Ａ，１０Ｂの接合に、以下に述べる工夫を施している。
【００３３】
第１の基材シート１０Ａと第２の基材シート１０Ｂとの接合部が延伸工程に付されたときに生じるトラブルを本発明者が詳細に検討したところ、シートの破断が、接合部６１と非接合部との境界付近で生じることが多いことが判明した。発生原因について更に検討を推し進めたところ、接合部６１を延伸工程に付しても該接合部６１が十分に延伸されないことが破断の一因である可能性が高いことが判明した。そこで本実施形態では、シート継ぎ工程において、前記の粘着材料６０として、搬送方向Ｙに沿って伸長性を有するものを用いて第１の基材シート１０Ａと第２の基材シート１０Ｂとの間に施して両シート１０Ａ，１０Ｂを接合させることとした。このような粘着材料６０を用いることによって、両シート１０Ａ，１０Ｂの接合部６１が、前記の歯溝ロール２，３による延伸工程に付されたときに、両シート１０Ａ，１０Ｂの延伸とともに粘着材料６０の延伸も生じるので、これらのシートに破断等のトラブルが生じにくくなる。なお、本実施形態においては、搬送方向Ｙは、基材シート１０Ａ，１０Ｂの延伸方向と一致している。
【００３４】
搬送方向Ｙに沿って伸長性を有する粘着材料６０としては、例えば両面テープを用いることができる。この両面テープは、基材テープの各面に粘着剤が施されているものである。この両面テープは、その使用前の状態では、その各面が剥離紙によって保護された状態になっている。そして、シート継ぎ工程において両面テープから剥離紙を除去し、該両面テープを第１の基材シート１０Ａ又は第２の基材シート１０Ｂに貼り付ける。そして、両面テープにおける基材テープとして、搬送方向Ｙに沿って伸長性を有するものを用いればよい。そのような基材テープの材質としては、例えば、天然ゴムや、イソプレンゴム、ブタジエンゴム、スチレンブタジエンゴムなどのジエン系ゴム、ブチルゴム、エチレンプロピレンゴム、ウレンタンゴム、シリコンゴムなどの非ジエン系ゴム、低密度ポリエチレン、熱可塑性エラストマーなどが挙げられる。基材テープの形態としては、フィルムや不織布などが挙げられる。
【００３５】
両面テープの別の例として、２枚の剥離紙間に粘着剤をシート状に塗工した構造を有するものを用いることもできる。この形態の両面テープは、上述した両面テープと異なり基材テープを備えていないものである。換言すれば、この形態の両面テープは、粘着剤そのものがテープの形態をしている。
【００３６】
両面テープの形態が上述のいずれの場合であっても、粘着材料６０は、搬送方向Ｙに沿う延伸を考えた場合、第１の基材シート１０Ａ及び第２の基材シート１０Ｂよりも高延伸性を有することが好ましい。延伸性が高いとは、破断伸び率が高いことを意味する。つまり粘着材料６０は、搬送方向Ｙに沿う破断伸び率が、第１の基材シート１０Ａ及び第２の基材シート１０Ｂの破断伸び率よりも高いことが好ましい。
【００３７】
また粘着材料６０は、第１の基材シート１０Ａと第２の基材シート１０Ｂとの接合部６１における延伸工程後の伸びが、該延伸工程前に対して好ましくは１．１倍以上５．０倍以下となるような伸長性を有していることも、延伸工程時のトラブル防止の観点から好ましい。この伸びの値は、１．５倍以上５．０倍以下であることが更に好ましく、２．０倍以上５．０倍以下であることが一層好ましい。この伸びの値は、延伸前の長さをＬ１とし、延伸後の長さをＬ２としたとき、Ｌ２／Ｌ１で定義される。
【００３８】
図３（ａ）において、粘着材料６０を第１の基材シート１０Ａの一面に配置するパターンに特に制限はない。例えば図４（ａ）に示すとおり、第１の基材シート１０Ａの幅方向Ｘに沿うほぼ全長にわたって、矩形状に粘着材料６０を配置することができる。
【００３９】
あるいは図４（ｂ）に示すとおり、第１の基材シート１０Ａの幅方向Ｘに沿って粘着材料６０を断続的に配置してもよい。更に図４（ｃ）に示すとおり、粘着材料６０を千鳥格子状に配置してもよい。更に図４（ｄ）に示すとおり、粘着材料である両面テープ６２として、その長手方向に延びるように形成された一条又は複数条のスリット６３を有するものを用い、スリット６３が第１の基材シート１０Ａの搬送方向Ｙに対して直交するように、且つ搬送方向Ｙに沿って間隔を置いて、複数の両面テープ６２を配置してもよい。スリットは長手方向に連続でなくてもよく、間欠的にスリットが形成されていてもよい。更に、間欠的に形成された複数条のスリットを有する場合、両面テープの長手方向と直角方向にスリットされていない部分が隣り合わず、千鳥配列状に形成されていることが好ましい。
【００４０】
このようにして製造された伸長性シートは、例えば使い捨ておむつ、生理用ナプキン及び体液吸収パッド等に代表される吸収性物品のトップシート、バックシート、立体ギャザー及び外装材等の構成部材として好適に用いることができる。これ以外にも、例えば伸長性が要求される各種物品の構成部材として好適に用いられる。
【００４１】
以上、本発明をその好ましい実施形態に基づき説明したが、本発明は前記実施形態に制限されない。例えば前記実施形態においては、第１の基材シート１０Ａと第２の基材シート１０Ｂとの接合に用いられる粘着材料６０として両面テープを例に挙げて説明したが、粘着材料６０として両面テープ以外のものを用いてもよい。
【００４２】
また、シート継ぎ装置５０は、定常ロール５２及び押圧部５３の替わりに、定常プレート及び押付プレートを用いてもよい。この場合、紙継ぎ工程より後の加工工程を連続して行えるよう、アキュムレータ機構はフリーロール５４の後に設置することが好ましい。
【００４３】
更に、シート継ぎ装置５０においては、第１の基材シート１０Ａの切断機構が、継ぎ部５１の上流側に設置されていてもよい。
【符号の説明】
【００４４】
１  製造装置
２，３  歯溝ロール
２０，３０  歯
４１   繰り出しロール
４２，４３  インフィードロール
４４，４５  アウトフィードロール
１０  歯溝ロール２，３による延伸加工前の基材シート
１０ａ  歯溝ロール２，３により延伸加工された基材シート
１０Ａ  第１の基材シート
１０１Ａ  終端部
１０Ｂ  第２の基材シート
１０１Ｂ  始端部
６０  粘着材料
６１  接合部
１１  伸長性シート
Ｖ１  インフィードロールの周速度
Ｖ２  歯溝ロールの周速度
Ｖ３  アウトフィードロールの周速度
Ｖ４  繰り出しロールの周速度 
【図１】
2018100457.tif 000003
【図２】
2018100457.tif 000004
【図３】
2018100457.tif 000005
【図４】
2018100457.tif 000006